(57)【要約】【課題】健康上の問題がなく、風呂水を長期間にわたって清浄に保つことができる風呂水清浄剤を提供する。【解決手段】上記課題は、過酸化水素およびその安定剤よりなる風呂水清浄剤によって解決される。【選択図】        図１
2005002071.tif 000002
【特許請求の範囲】
【請求項１】
過酸化水素およびその安定剤よりなる風呂水清浄剤
【請求項２】
請求項１記載の風呂水清浄剤を１回当り過酸化水素の量として風呂水の１〜１００ｐｐｍ添加することを特徴とする風呂水の清浄方法
【発明の詳細な説明】
【０００１】
【発明の属する技術分野】
本発明は、家庭用風呂水を清浄に維持する薬剤に関するものである。
【０００２】
【従来の技術】
欧米と異なり、我国においては風呂水を交換することなく幾人もが入浴する習慣がある。特に、節水やエネルギー節約の観点から風呂水を幾回か繰り返し使用することがある。特に、長期間風呂水を使用する場合の問題点は風呂水を清潔に保つことである。すなわち、そのまま使い続けると、大腸菌やレジオネラ菌等の雑菌が繁殖して健康上問題になるばかりでなく、ぬめりや臭いが発生して気分的にも不快である。
【０００３】
そこで、風呂水清浄剤としてジクロロイソシアヌル酸塩を用いたものが市販されている。
【０００４】
【発明が解決しようとする課題】
本発明者は、上記のジクロロイソシアヌル酸塩を処方に従って１日１錠（ジクロロイソシアヌル酸として約５ｐｐｍ）、あるいは次亜塩素酸ナトリウムを６ｐｐｍ加えて入浴を続けたところ、いずれも浴槽にぬめりが発生せず風呂水を約２週間清浄状態を保つことができたが、風呂水にこれらの塩素系殺菌剤を添加しながら使用し続けると塩素が発生し、これが肺に悪影響を与える。
【０００５】
即ち、いずれも添加１日目から軽い塩素臭がして、それが徐々に強まり４日後には塩素ガスを入浴中吸い込んでいることが意識され、その後胸部の痛みや痰が出るなど健康上問題があることがわかった。
【０００６】
本発明の目的は、健康上の問題がなく、風呂水を長期間にわたって清浄に保つことができる風呂水清浄剤を提供することにある。
【０００７】
【課題を解決するための手段】
本発明者は、日頃風呂水の交換で貴重な水資源が廃棄されてしまうことに罪悪感を感じていた。また、冬場での浴槽洗浄は冷たくて嫌な作業である。一方、神棚の榊の水替えで榊の水揚げを悪くしているのは切り口に雑菌が繁殖して発生したぬめりが原因ではないかと考え、殺菌作用のある洗剤を希釈して添加したところ、ぬめりの発生が抑えられ、榊は最高８ヵ月枯れなかった。これをヒントに殺菌作用のある洗剤を風呂水に添加したところ、浴槽のぬめりや臭いが軽減された。しかし、洗剤による泡立ちや濁りが進み、風呂水清浄剤として満足できるものではなかった。
【０００８】
そこで、殺菌漂白作用のある次亜酸素酸塩（Ｎａ塩、Ｃａ塩）に着目し、これとジクロロイソシアヌル酸塩を有効成分とする市販の風呂水清浄剤について風呂水清浄能力を調べたところ、いずれも風呂水のぬめりや臭いを抑止して２週間以上使用可能であった。しかしながら、これらは添加４日後には塩素ガスを入浴中吸い込んでいることが意識され、その後胸の痛みや痰がでてくるようになった。そこで、文献を調査した結果、これらから塩素ガスが発生し、これを吸入したことによる気管支炎によるものであることがわかった。
【０００９】
そこで、さらに検討を進め、過酸化水素に着目してテストしたところ、特に何の問題も生じないで１ヵ月以上風呂水を使用できることを見出した。
【００１０】
本発明は、かかる知見に基づいてなされたものであり、過酸化水素およびその安定剤よりなる風呂水清浄剤ならびに清浄方法を提供するものである。
【００１１】
【発明の実施の形態】
本発明の風呂水清浄剤における過酸化水素は工業製品を水等で希釈して用いることができ、好ましい濃度は、家庭用としては安全性を考慮して薄い方がよく、１〜２５重量％程度、より好ましくは５〜２０重量％程度である。
【００１２】
安定剤は、保存中の過酸化水素の分解を抑制するものであり、好ましくは過酸化水素の分解反応の負触媒作用をするものである。具体例としては、リン酸やアミド化合物、イミド化合物を挙げることができ、アミド化合物の例としてはアセトアニリド、馬尿酸等を挙げることができ、イミド化合物の例としては尿酸、パルビタール等を挙げることができる。特に好ましい安定剤はリン酸と尿酸である。安定剤の量は、要は過酸化水素水を使用しきるまで分解させず保存できればよく、これは過酸化水素の濃度や保存温度、保存期間等によって変わるが、通常過酸化水素に対して０．１重量％以上、好ましくは０．２重量％以上、より好ましくは０．５重量％以上である。安定剤の量の上限は２０重量％以下、好ましくは１０重量％以下である。
【００１３】
本発明の風呂水清浄剤は、過酸化水素とその安定剤は過酸化水素を分解させず、かつ風呂水の性状を損なわない範囲でその他の成分も含むことができる。具体例としては風呂水清浄剤を酸性に維持するための酸や緩衝剤、過酸化水素に悪影響を与えない入浴剤などを挙げることができる。一方、本発明の風呂水清浄剤は塩素ガスを発生しないことを特徴としているので塩素系酸化剤や漂白剤は全く添加しないか、その害が問題にならない程度の添加量とする。これには過酸化水素と塩素系化合物の組み合わせによる塩素ガスの発生も考慮される。さらに、界面活性剤も風呂水の性状を悪化させるので好ましくない。
【００１４】
この清浄剤の形態は通常は水溶液である。好ましいｐＨの範囲は１〜２程度である。しかしながら、過酸化水素を分解せずかつ風呂水の性状を損なわない範囲で水にそれ以外の溶媒を加えた混合溶媒を用いることもできる。
【００１５】
清浄剤の調製に使用する水は蒸留水やイオン交換水が好ましい。本発明者が３５％過酸化水素水各１２４ｇをイオン交換水、蒸留水、水道水各１２５ｇに加え、いずれも透明な５００ｃｃのポリ容器に入れて静置しておいたところ、水道水はかなり短時間のうちに多くの分解ガスの発生が見られたが、蒸留水では極く僅かであり、イオン交換水では殆ど発生しなかった。これは、水道水は塩素イオンに加えて重金属等も含まれており、そのため過酸化水素の分解が加速されたものと思われる。
【００１６】
本発明の風呂水清浄剤の使用方法としては、１回当り過酸化水素の量として風呂水の１〜１００ｐｐｍ程度、好ましくは５〜７０ｐｐｍ程度、より好ましくは８〜５０ｐｐｍ程度、特に好ましくは１２〜４０ｐｐｍ程度添加する。これは１〜２人入浴する場合であり、３人では添加量を上記の１．５倍、４人では２倍（以降０．５倍／人）とする。この添加量は、風呂水にぬめりを発生せず、また、大腸菌やレジオネラ菌公衆浴場の水質基準を合格するように定められたものである。
【００１７】
添加時期としては入浴後１時間以内、好ましくは入浴後３０分以内がよく、例えば入浴後直ちに添加することが好ましい。例えば、入浴一夜後に添加すると、その間に雑菌が繁殖して風呂水の寿命が短くなる。なお、一日以上入浴しないときには念のため入浴の翌日に１回分を添加して攪拌しておくのがよい。
【００１８】
本発明の風呂水清浄剤を用いていると３〜５日後には白っぽい綿くず状の沈殿物が浴槽底部に凝集する。これを発生の都度掬い網等で掬って除去すると浴槽の壁面、底面のぬめりや有機物の分解による臭の発生を抑制して風呂水の清浄状態をさらに延長維持することができる。本発明の清浄剤を使用しても風呂水は徐々に濁りが生じてくるが、これは過酸化水素により分解できない砂埃や石鹸分および完全分解できない有機物（垢、脂、綿埃等）の蓄積によるものと考えられる。
【００１９】
【実施例】
実施例−１
３５％過酸化水素１５０ｇｒを水３５０ｇｒに希釈し、リン酸１．０ｇｒを添加して風呂水清浄剤を作製した。入浴後風呂水（２５０リットル）に、この風呂水清浄剤３０ｃｃ（過酸化水素として１２．６ｐｐｍ）を添加・撹拌し放置した。上記風呂水清浄剤の添加は入浴日毎に行った。この結果、浴槽の壁面・底面にぬめりの発生がなく、有機物の腐った臭いもなく風呂水の使用期間２９日、入浴日数２６日、入浴延人数３８名で、水質はｐＨ６．９（水道水６．８）、透視度１００ｃｍ以上であった。この間３日前後毎に浴槽底面に沈降・凝集した白っぽい綿くず状の沈降物を茶こし器で掬い取った。なお、風呂水への添加量と入浴延日数との関係を下表と図１に示す。
【００２０】
【表１】
2005002071.tif 000003
【００２１】
尚、上記延入浴日数は、透視度計で測定して透視度１００ｃｍを割った日の前日までである。
【００２２】
実施例−２
３５％過酸化水素１００ｇｒを水４００ｇｒに希釈し、リン酸０．３ｇｒを添加して風呂水清浄剤を作製した。入浴後風呂水（２５０リットル）に、この風呂水清浄剤３０ｃｃ（過酸化水素として８．４ｐｐｍ）を添加・撹拌し放置した。上記風呂水清浄剤の添加は入浴日毎に行った。この結果、浴槽の壁面・底面にぬめりの発生がなく、有機物の腐食臭もなく風呂水の使用期間２１日、入浴日数１９日、入浴延人数３６名で、水質はｐＨ６．９で透視度１００ｃｍ以上であった。入浴日数１４日、１９日に顕微鏡で倍率１２００倍で観測した結果、細菌の検出限界１ｍｍの微生物の存在はなかった。また、入浴日数１９日の浴槽水を採水し、いわき市保健所検査課で分析依頼した結果、大腸菌群は０個／ｍｌ（基準値１個／ｍｌ以下）、濁度は０．７度（基準値５度以下）、有機物等（過マンガン酸カリ消費量）２５０ｍｇ／Ｌ（基準値２５ｍｇ／Ｌ以下）、ｐＨ値６．６（基準値５．８〜８．６）であった。レジオネラ菌も基準値（１０ＣＦＵ／１００ｍｌ未満）以下であった。
【００２３】
過マンガン酸カリ消費量が高いのは、全ての有機物量を測定するもので、一部酸化され溶解した垢や脂分および砂埃や綿埃などが徐々に増えた結果であり、細菌類は０個／ｍｌであり問題ないと考える。
【００２４】
なお、実施例−２の３回目の試験で過酸化水素１００ｇｒに水４００ｇｒを加え、リン酸０．３ｇｒを添加した液でテストをしていたところ、気温上昇とともに風呂水に添加のため瓶の蓋を開けると分解ガスが漏れる現象が見られ、３日間入浴せず放置し、その後入浴後添加しようと蓋を開けたら、蓋が内圧によって飛ぶくらいに分解ガスが発生していた。そして、風呂水の寿命もかなり短くなってしまった。
【００２５】
上記リン酸０．３ｇｒの過酸化水素１００ｇｒ（３５％溶液）に対する添加率は（０．３／１００×０．３５）×１００＝０．８６％となるが、リン酸を約３倍の１ｇｒにすると（１／１００×０．３５）×１００＝２．８６％となる。
【００２６】
比較例−１
有効塩素８〜１２％の次亜塩素酸ナトリウム溶液７５ｇｒを水に溶解し５００ｃｃとし、水酸化ナトリウム０．３ｇｒを溶解した。入浴後風呂水（２５０リットル）に、この溶液３０ｃｃ（風呂水に対しＮａＣｌＯとして６ｐｐｍ）を添加・撹拌し放置した。
【００２７】
その結果、添加４日後以降塩素臭が続いた。浴槽の壁面・底面のぬめりは発生せず、有機物の腐敗臭もなく徐々に濁りが進んだ。透視度が１００ｃｍ近くまでの風呂水の使用期間は１９日、入浴延人数は３２名であった。その間３日前後には浴槽の底面に黒っぽい綿くず状の沈降物が凝集したので茶こし器で掬い取った。
【００２８】
比較例−２
大手化学会社で販売している風呂水清浄剤（成分ジクロロイソシアヌル酸塩）を入浴後、風呂水（２５０リットル）に一錠ずつ添加・撹拌し放置した。その結果、添加４日後以降より塩素臭が続いた。浴槽の壁面・底面のぬめりは発生せず、有機物の腐敗臭もなく徐々に濁りが進んだ。透視度が１００ｃｍ近くまでの風呂水の使用期間は１４日、入浴延人数は２８名であった。その間３日前後には浴槽の底面に黒っぽい綿くず状の沈殿物が凝集したので茶こし器で掬い取った。
【００２９】
ジクロロイソシアヌール酸は水に溶解すると加水分解して次亜塩素酸を遊離する。次亜塩素酸は水素イオンと反応して塩素を生成する。この塩素ガスの吸入による慢性症状として気管支炎を起こす（これらは化学工業日報社刊行の「１４３０３の化学商品」（２００３年版）および微量の塩素ガス吸入による慢性症状は「１１２９０の化学商品」（１９９０年版）に記載されている）。
【００３０】
この試験中、風邪を引く環境でないのに体温は平熱で毎日胸が痛み、痰が出た。上記のことから塩素ガス吸入による気管支炎になったことを知った。
【００３１】
比較例−３
過酸化水素を無添加で入浴した場合、早い時期に大腸菌等が発生していることを顕微鏡観察で確認した。
【００３２】
家族２人で入浴４日後、浴槽中の浮遊物を茶こし器で掬い取り、スライドガラスに乗せメチレンブルーで染色後、顕微鏡で１２００倍の倍率で観察した結果、綿くずと綿くずとの隙間（視野１０ｍｍ×１０ｍｍ）に長さ１．０〜１．２ｍｍ、胴径約０．２ｍｍの黒っぽい微生物が１０個ぐらい方向性は一定せずに動き回っているのを確認した。
【００３３】
浮遊物中の水分は０．１ｃｃ以下で、これに染色液約０．１ｃｃ、希釈水約０．２ｃｃ添加してカバーガラスを被せてはみ出した水分は拭き取っているので、検水量は０．０５ｃｃくらいであった。それでも、１ｃｃ当り２００個の大腸菌類が存在していることになり、公衆浴場の水質基準の１個／ｍｌ以下を大幅に超えていることがわかった。
【００３４】
【発明の効果】
本発明により、呼吸器障害もなく風呂水を長く清浄状態に保って使い続けることができる。その結果、下記の利点が得られる。
【００３５】
１）浴槽洗浄労力の低減（浴槽洗浄３日毎１回が２７日毎１回で済む）
２）水道・下水道料金の節減および省エネルギー（一般家庭で約６０００円／年）
３）渇水時の節水対策（例えば東京都で渇水時の節水協力要請で５０％の世帯の協力があれば約４００万トン／月の節減となる）
４）既存商品に比べ製造物責任法に問われる恐れがなく、また安く製造できる。
【図面の簡単な説明】
【図１】本発明の一実施例で得られた過酸化水素添加量と延入浴日数との関係を示すグラフである。
【図１】
2005002071.tif 000004